(57)【要約】【課題】軟便の漏れを適切に防止することができる低コストの吸収性物品を提供することを目的とする。【解決手段】液不透過性のバックシート３０と、バックシート３０の身体側に配置された吸収体４０と、を有し、吸収性物品１００の端部に配置される吸収性補助パッド１であって、吸収体４０の身体側表面にトップシートではなく、長手方向及び／又は短手方向に、直線状のスリット２１を少なくとも一本備える嵩高多孔体２０を有し、短手方向の一方の側端部にのみ、立体ギャザー５０を有し、吸収性物品１００の端部に配置される吸収性補助パッドを提供する。【選択図】図１
2019097682.tif 000002
【特許請求の範囲】
【請求項１】
液不透過性のバックシートと、前記バックシートの身体側に配置された吸収体と、を有し、吸収性物品の端部に配置される吸収性補助パッドであって、
前記吸収性補助パッドは、さらに、前記吸収体の身体側に嵩高多孔体を有し、
前記吸収性補助パッドは、前記吸収性補助パッドの短手方向の一方の側端部にのみ、撥水性又は液不透過性を有する二重のシートから構成される立体ギャザーを有し、
前記吸収体は、平面視において、前記嵩高多孔体の長手方向両端部及び短手方向両端部の内側に位置し、
前記バックシートは、前記立体ギャザーを備える側の短手方向端部では、前記嵩高多孔体の衣類側表面から前記嵩高多孔体の側面おいて前記嵩高多孔体に沿って設けられており、
前記嵩高多孔体は、長手方向及び／又は短手方向に、直線状のスリットを少なくとも一本備え、
前記嵩高多孔体の身体側表面からの前記立体ギャザーの高さは、前記吸収性補助パッドの短手方向の寸法に対して、２０％以上であり、
前記バックシートの衣類側表面には、吸収性物品との固定手段が形成されている、吸収性補助パッド。
【請求項２】
長手方向及び短手方向の寸法が、５０ｍｍ以上３００ｍｍ以下である、請求項１に記載の吸収性補助パッド。
【請求項３】
前記嵩高多孔体は前記吸収体よりも厚く、前記嵩高多孔体の厚さが２ｍｍ以上２０ｍｍ以下である、請求項１又は２に記載の吸収性補助パッド。
【請求項４】
前記スリットの幅は、前記嵩高多孔体の身体側表面から衣類側に向けて小さくなっており、前記嵩高多孔体の身体側表面における前記スリットの幅が３ｍｍ以上３０ｍｍ以下であり、前記スリットの衣類側端部における幅が２５ｍｍ以下である、請求項１から３のいずれかに記載の吸収性補助パッド。
【請求項５】
長手方向に設けられた前記スリットの長さが、前記吸収性補助パッドの長手方向の寸法に対して、９０％以下である、請求項１から４のいずれかに記載の吸収性補助パッド。
【請求項６】
短手方向に設けられた前記スリットの長さが、前記吸収性補助パッドの短手方向の寸法に対して、９０％以下である、請求項１から４のいずれかに記載の吸収性補助パッド。
【請求項７】
前記スリットの深さは、前記嵩高多孔体の厚さの５０％以上である、請求項１から６のいずれかに記載の吸収性補助パッド。
【請求項８】
前記嵩高多孔体が複数の開孔を有する、請求項１から７のいずれかに記載の吸収性補助パッド。
【請求項９】
前記開孔の直径は、前記嵩高多孔体の身体側表面から衣類側に向けて小さくなっており、前記嵩高多孔体の身体側表面における前記開孔の直径が２ｍｍ以上１０ｍｍ以下であり、前記開孔の衣類側端部における直径が８ｍｍ以下である、請求項８に記載の吸収性補助パッド。
【請求項１０】
前記立体ギャザーの前記嵩高多孔体の身体側表面からの高さが１５ｍｍ以上８０ｍｍ以下である、請求項１から９のいずれかに記載の吸収性補助パッド。
【請求項１１】
前記立体ギャザーは、自由端側及び基端側に少なくとも一本ずつの伸縮弾性部材を有する、請求項１から１０のいずれかに記載の吸収性補助パッド。
【発明の詳細な説明】
【技術分野】
【０００１】
本発明は、軟便の漏れを適切に防止することができる低コストの吸収性補助パッドに関する。
【背景技術】
【０００２】
一般的に成人用紙おむつには、テープ止めタイプ、パンツタイプ等があり、これらの紙おむつは使用者の排泄における介護の必要度に応じて適宜選択されて使用される。これらの吸収性物品は、液透過性のトップシートと、液不透過性のバックシートと、両シートの間に配置された吸収体と、で構成されている。このような構成を採用することにより、尿等の体液は、吸収性物品のトップシートを透過して吸収体に吸収され、バックシートにより外部へ漏れないようになっている。
【０００３】
ところで、テープ止めタイプやパンツタイプの紙おむつ等の吸収性物品は、それ自体を単独で使用する場合と、その内側に尿取りパッドを併用する場合があるが、現在は、尿取りパッドと併用し、尿取りパッドを、トップシート上に重ねて使用する場合がほとんどである。これは、紙おむつ１枚当たりのコストが高いためで、テープ止めタイプやパンツタイプの紙おむつに比して安価な尿取りパッドで排泄物を吸収して保持した後、尿取りパッドのみを交換することで、排泄後においても、よりコストの高いテープ止めタイプやパンツタイプの紙おむつを交換せずに済み、経済的に低いコストで吸収性物品を使用できるためである。
【０００４】
ここで、尿取りパッドは、尿量に応じて様々なサイズや形状があり、排泄された尿を確実に吸収して漏れを防止することができる。しかしながら、軟便、水様便、下痢便（以下、軟便と称する）に対しては、吸収性が不十分であり、軟便が尿取りパッド及び吸収性物品の外部に漏れることがあったため、軟便の漏れを防止することを目的とした尿取りパッドについても検討がなされている。
【０００５】
軟便の漏れを防止することを目的とした尿取りパッドとしては、例えば、特許文献１に、トップシート、バックシート、吸収体、立体ギャザーと、を備えた尿取りパッドにおいて、少なくとも股間部の前端よりも後側の範囲内における、立体ギャザーの突出部位より側方に延在する部分に、衣類側表面から見てカップ状に窪んだカップ部が設けられていることを特徴とする尿取りパッドが開示されている。
【先行技術文献】
【特許文献】
【０００６】
【特許文献１】特開２０１４−４５９８０号公報
【発明の概要】
【発明が解決しようとする課題】
【０００７】
しかしながら、特許文献１に記載の尿取りパッドにおいても、大量の軟便が排泄された場合には、尿取りパッドの漏れやすい箇所からテープ止めタイプの紙おむつ等の吸収性物品にまで軟便が漏れ、さらに、吸収性物品から軟便が衣服や寝具に漏れてしまう可能性があった。また、尿取りパッドは、テープ止めタイプの紙おむつ等の吸収性物品に補助的に用いられるものであるが、広範囲で軟便の漏れを防止しようとするが故に、必然的にサイズが大きくなることから、原材料コストが高くなり、使用者としては、コスト的に十分に満足できるものではなかったという問題もあった。したがって、本発明は以上の点の課題に鑑みてなされたものであり、軟便の漏れを適切に防止することができる低コストの吸収性物品を提供することを目的とする。
【課題を解決するための手段】
【０００８】
本発明の発明者らは、上記課題に鑑み、鋭意研究を行った。その結果、吸収体の身体側表面にトップシートではなく、所定のスリットを有する嵩高多孔体を有し、短手方向の一方の側端部にのみ、立体ギャザーを有し、吸収性物品の端部に配置される吸収性補助パッドによれば、上記課題を解決できることを見出し、本発明を完成するに至った。具体的には、本発明は以下のものを提供する。
【０００９】
（１）本発明の第１の態様は、液不透過性のバックシートと、前記バックシートの身体側に配置された吸収体と、を有し、吸収性物品の端部に配置される吸収性補助パッドであって、前記吸収性補助パッドは、さらに、前記吸収体の身体側に嵩高多孔体を有し、前記吸収性補助パッドは、前記吸収性補助パッドの短手方向の一方の側端部にのみ、撥水性又は液不透過性を有する二重のシートから構成される立体ギャザーを有し、前記吸収体は、平面視において、前記嵩高多孔体の長手方向両端部及び短手方向両端部の内側に位置し、前記バックシートは、前記立体ギャザーを備える側の短手方向端部では、前記嵩高多孔体の衣類側表面から前記嵩高多孔体の側面において前記嵩高多孔体に沿って設けられており、前記嵩高多孔体は、長手方向及び／又は短手方向に、直線状のスリットを少なくとも一本備え、前記嵩高多孔体の身体側表面からの前記立体ギャザーの高さは、前記吸収性補助パッドの短手方向の寸法に対して、２０％以上であり、前記バックシートの衣類側表面には、吸収性物品との固定手段が形成されている、吸収性補助パッドである。
【００１０】
（２）本発明の第２の態様は、（１）に記載の吸収性補助パッドであって、長手方向及び短手方向の寸法が、５０ｍｍ以上３００ｍｍ以下であることを特徴とするものである。
【００１１】
（３）本発明の第３の態様は、（１）又は（２）に記載の吸収性補助パッドであって、
前記嵩高多孔体は前記吸収体よりも厚く、前記嵩高多孔体の厚さが２ｍｍ以上２０ｍｍ以下であることを特徴とするものである。
【００１２】
（４）本発明の第４の態様は、（１）から（３）のいずれかに記載の吸収性補助パッドであって、前記スリットの幅は、前記嵩高多孔体の身体側表面から衣類側に向けて小さくなっており、前記嵩高多孔体の身体側表面における前記スリットの幅が３ｍｍ以上３０ｍｍ以下であり、前記スリットの衣類側端部における幅が２５ｍｍ以下であることを特徴とするものである。
【００１３】
（５）本発明の第５の態様は、（１）から（４）のいずれかに記載の吸収性補助パッドであって、長手方向に設けられた前記スリットの長さが、前記吸収性補助パッドの長手方向の寸法に対して、９０％以下であることを特徴とするものである。
【００１４】
（６）本発明の第６の態様は、（１）から（４）のいずれかに記載の吸収性補助パッドであって、短手方向に設けられた前記スリットの長さが、前記吸収性補助パッドの短手方向の寸法に対して、９０％以下であることを特徴とするものである。
【００１５】
（７）本発明の第７の態様は、（１）から（６）のいずれかに記載の吸収性補助パッドであって、前記スリットの深さは、前記嵩高多孔体の厚さの５０％以上であることを特徴とするものである。
【００１６】
（８）本発明の第８の態様は、（１）から（７）のいずれかに記載の吸収性補助パッドであって、前記嵩高多孔体が複数の開孔を有することを特徴とするものである。
【００１７】
（９）本発明の第９の態様は、（８）に記載の吸収性補助パッドであって、前記開孔の直径は、前記嵩高多孔体の身体側表面から衣類側に向けて小さくなっており、前記嵩高多孔体の身体側表面における前記開孔の直径が２ｍｍ以上１０ｍｍ以下であり、前記開孔の衣類側端部における直径が８ｍｍ以下であることを特徴とするものである。
【００１８】
（１０）本発明の第１０の態様は、（１）から（９）のいずれかに記載の吸収性補助パッドであって、前記立体ギャザーの前記嵩高多孔体の身体側表面からの高さが１５ｍｍ以上８０ｍｍ以下であることを特徴とするものである。
【００１９】
（１１）本発明の第１１の態様は、（１）から（１０）のいずれかに記載の吸収性補助パッドであって、前記立体ギャザーは、自由端側及び基端側に少なくとも一本ずつの伸縮弾性部材を有することを特徴とするものである。
【発明の効果】
【００２０】
本発明の吸収性補助パッドは、吸収性補助パッドの幅方向の一方の側端部にのみ、撥水性又は液不透過性を有する二重のシートから構成される所定の高さの立体ギャザーを有する。このため、吸収性補助パッドを、テープ止めタイプの紙おむつ等の吸収性物品の端部に、立体ギャザーが吸収性物品の外周方向となるようにして、配置することにより、吸収性補助パッドの吸収性を維持しつつ、軟便の漏れを効果的に防止することができる。
【００２１】
また、本発明の吸収性補助パッドは、通常の吸収性物品とは異なり、吸収体の身体側にトップシートではなく嵩高多孔体を有する。このため、軟便の固形分による目詰まりを起こしづらく、嵩高多孔体が軟便を堰き止めながら、軟便に含まれる水分を選択的に吸収体に導くことができ、軟便の流動性を低下させ吸収性物品の中に軟便を留めることにより、軟便の漏れを防止することができる。
【００２２】
また、本発明の吸収性補助パッドは、吸収性物品の漏れやすい部分に対して局所的に用いることができるため、従来の吸収性物品と比較して、サイズを小さくすることができ、原材料コストを抑えることができる。よって、本発明によれば、軟便の漏れを適切に防止することができ、かつ、低コスト化を実現できる。
【図面の簡単な説明】
【００２３】
【図１】本発明の吸収性補助パッドの平面図である。
【図２】図１のＸ1−Ｘ1断面図である。
【図３】図１のＸ1−Ｘ1断面図である。
【図４】図１のＸ1−Ｘ1断面図である。
【図５】図１のＸ1−Ｘ1断面図である。
【図６】本発明の吸収性補助パッドの使用例を示す図面である。
【発明を実施するための形態】
【００２４】
以下、添付図面を参照して、本発明を実施するための形態について、詳細に説明する。なお、本発明の実施形態の説明の全体を通して、同じ要素には同じ符号を付している。
【００２５】
本明細書の説明において、吸収性補助パッド１の着用時とは、吸収性補助パッド１の装着時及び装着後の少なくとも一方をいう。吸収性補助パッド１の長手方向とは、後述する立体ギャザー５０に平行な方向であり、図中、符号Ｙで示す方向である。また、吸収性補助パッド１の短手方向とは、長手方向に対して横又は直交する方向であり、図中、符号Ｘで示す方向である。さらに、身体側表面とは、吸収体４０等の各部材の表裏両面のうち、着用時に着用者の肌側に配される面であり、衣類側表面とは、吸収体４０等の各部材の表裏両面のうち、着用時に着用者の肌側とは反対側に向けられる面である。
【００２６】
＜吸収性補助パッド＞
図１は本発明の吸収性補助パッド１の平面図、図２から図５は本発明の吸収性補助パッド１のＸ1−Ｘ1断面図、図６は本発明の吸収性補助パッド１の使用例を示す図面、である。吸収性補助パッド１は、図１から図５に示すように、液不透過性のバックシート３０と、バックシート３０の身体側に配置された吸収体４０と、さらに、吸収体４０の身体側に配置される嵩高多孔体２０と、吸収性補助パッド１の短手方向の一方の側端部にのみ、後述する立体ギャザー５０と、を有し、テープ止めタイプの紙おむつ等の吸収性物品１００の端部に配置されるものである。吸収性補助パッド１は、幼児又は成人用を問わず、吸収性物品１００と併用して用いることに適している。図６に示すように、吸収性補助パッド１を、吸収性物品１００の端部に、立体ギャザー５０が吸収性物品１００の外周方向となるようにして、配置することにより、軟便の漏れを効果的に防止することができる。
【００２７】
吸収性補助パッド１の形状は、特に限定されないが、吸収性補助パッド１は、吸収性物品１００の端部に配置し、軟便の漏れを効果的に防止するものであるから、略長方形又は略正方形であることが好ましい。また、吸収性補助パッド１の長手方向及び短手方向の寸法は、５０ｍｍ以上３００ｍｍ以下であることが好ましく、１００ｍｍ以上２５０ｍｍ以下であることがより好ましい。吸収性補助パッド１の長手方向及び幅方向の寸法を上記の範囲にすることにより、吸収性補助パッド１を固定させる吸収性物品１００のタイプや大きさに適合させることができ、必要に応じて低コスト化も図ることができる。
【００２８】
［嵩高多孔体］
本発明の吸収性補助パッド１は、通常の吸収性物品と異なり、吸収体４０の身体側にトップシートではなく嵩高多孔体２０を有する。嵩高多孔体２０は、多孔構造となっているため、トップシートと比べて軟便の固形分による目詰まりを起こしづらく、嵩高多孔体２０が軟便を堰き止めながら、軟便に含まれる水分を選択的に吸収体４０に導くことができる。これにより、軟便の流動性が低下し、テープ止めタイプの紙おむつ等の吸収性物品１００に軟便を留めることができ、軟便の漏れを防止することができる。嵩高多孔体２０としては、ウレタンフォームや海綿などを用いることができるが、汎用性及びコストの観点からウレタンフォームを用いることが好ましい。なお、軟便を堰き止めつつ選択的に水分を吸収体４０に導くために、嵩高多孔体２０の孔の平均セル径は０．５ｍｍ以上５．０ｍｍ以下であることが好ましく、１．０ｍｍ以上４．０ｍｍ以下であることがより好ましい。また、嵩高多孔体２０の、長手方向の寸法は、５０ｍｍ以上３００ｍｍ以下であることが好ましく、短手方向の寸法は５０ｍｍ以上３００ｍｍ以下であることが好ましい。
【００２９】
嵩高多孔体２０の坪量は、加工性及び強度の点から、３０ｇ／ｍ２以上３００ｇ／ｍ２以下であることが好ましい。嵩高多孔体２０の身体側表面には、肌への刺激を低減させるために、ローション、酸化防止剤、抗炎症成分、ｐＨ調整剤、抗菌剤、保湿剤等を塗布してもよい。嵩高多孔体２０の形状は、特に限定されないが、吸収性補助パッド１の形状に合わせて、略長方形又は略正方形であることが好ましい。
【００３０】
嵩高多孔体２０の厚さは、吸収体４０の厚さよりも厚く、２ｍｍ以上２０ｍｍ以下であることが好ましく、５ｍｍ以上１５ｍｍ以下であることがより好ましい。嵩高多孔体２０の厚さを上記の範囲に調整することにより、効果的に軟便を堰き止めつつ選択的に水分を吸収体４０に導くことができる。
【００３１】
（スリット）
嵩高多孔体２０は、長手方向及び／又は短手方向に、直線状のスリット２１を少なくとも一本備える。嵩高多孔体２０が、スリット２１を有することにより、軟便の拡散性を向上させることができる。また、スリット２１を設けることにより、嵩高多孔体２０の表面積が拡大し、より効果的に、軟便を堰き止めることができ、更に多くの水分を吸収体４０に導くことで、軟便の流動性を低下させ、吸収性物品１００からの軟便の漏れをより確実に防止することができる。また、より軟便の漏れを防止させる観点から、嵩高多孔体２０の長手方向及び短手方向の両方向に、スリット２１をそれぞれ少なくとも一本ずつ設けることが好ましく、この場合、短手方向に設けられたスリット２１と長手方向に設けられたスリット２１が直交してよい。また、スリット２１の上記の機能を発揮させるために、スリット２１は吸収体４０と高さ方向に重複するように設けることが好ましい。また、スリット２１は長手方向、短手方向に略平行に設けられることが好ましい。さらに、スリット２１は、本発明において、上記のように軟便の漏れを防止するために重要な構成であるが、一方でスリット２１を多く設けすぎると、凹凸による着用感の低下を招いてしまうため、軟便漏れの防止及び着用感のバランスの観点から、スリット２１の合計本数は１本以上１０本以下であることが好ましく、２本以上８本以下であることがより好ましい。
【００３２】
また、長手方向に設けられたスリット２１の長さが、吸収性補助パッド１の長手方向の寸法に対して、９０％以下であることが好ましく、短手方向に設けられたスリット２１の長さが、吸収性補助パッド１の短手方向の寸法に対して、９０％以下であることが好ましい。また、スリット２１による軟便の漏れを防止する効果を十分に発揮させるために、長手方向に設けられたスリット２１の長さが、吸収性補助パッド１の長手方向の寸法に対して、５０％以上９０％以下であることがより好ましく、７０％以上９０％以下であることが更に好ましく、短手方向に設けられたスリット２１の長さが、吸収性補助パッド１の短手方向の寸法に対して、５０％以上９０％以下であることがより好ましく、７０％以上９０％以下であることが更に好ましい。
【００３３】
スリット２１の深さは、スリット２１の上記の機能を発揮させ効果的に軟便の漏れを防止するために、嵩高多孔体２０の厚さの５０％以上であることが好ましく、５０％以上１００％以下であることがより好ましく、７０％以上１００％以下であることが更に好ましい。なお、上記の数値が１００％である場合には、図２に示すように、スリット２１が嵩高多孔体２０を貫通している状態となる。
【００３４】
また、スリット２１の幅は、嵩高多孔体２０の身体側表面から衣類側に向けて小さくなっており、嵩高多孔体２０の身体側表面におけるスリット２１の幅が３ｍｍ以上３０ｍｍ以下であり、スリット２１の衣類側端部２１０における幅が２５ｍｍ以下であることが好ましい。このように、スリット２１の幅が、上記の数値範囲で、嵩高多孔体２０の身体側表面から衣類側に向けて小さくなることにより、スリット２１の衣類側に軟便が詰まったとしても、スリット２１の身体側の目詰まりを防止することができ、軟便に含まれる水分の吸収体４０への移行を継続することができる。嵩高多孔体２０の身体側表面におけるスリット２１の幅が３ｍｍ以上３０ｍｍ以下であり、スリット２１の衣類側端部２１０における幅が０ｍｍ以上２５ｍｍ以下であることがより好ましく、嵩高多孔体２０の身体側表面におけるスリット２１の幅が５ｍｍ以上２０ｍｍ以下であり、スリット２１の衣類側端部２１０における幅が０ｍｍ以上１５ｍｍ以下であることが更に好ましい。ここで、スリット２１の衣類側端部２１０における幅が０ｍｍである場合には、図３や図５に示すように、スリット２１が、ちょうどスリット２１の衣類側端部２１０の位置で幅を有さずに閉塞している状態となる。また、スリット２１の衣類側端部２１０における幅が０ｍｍを超える場合には、図２や図４に示すように、スリット２１の衣類側端部２１０が所定の幅を有している状態となる。また、同様の観点から、スリット２１の衣類側端部２１０における幅が、嵩高多孔体２０の身体側表面におけるスリット２１の幅の８０％以下であることが好ましく、０％以上８０％以下であることがより好ましく、１０％以上７０％以下であることが更に好ましい。
【００３５】
（開孔）
嵩高多孔体２０は、図１に示すように複数の開孔２２を有することが好ましい。嵩高多孔体２０が複数の開孔２２を有することにより、開孔２２がスリット２１の上記の機能を補完し、嵩高多孔体２０全体における軟便の固形分による目詰まりを防止し、軟便に含まれる水分を吸収体４０に導くことができる。開孔２２の深さは、開孔２２の上記の機能を発揮させ効果的に軟便の漏れを防止するために、嵩高多孔体２０の厚さの５０％以上であることが好ましく、５０％以上１００％以下であることがより好ましく、７０％以上１００％以下であることが更に好ましい。なお、上記の数値が１００％である場合には、開孔２２が嵩高多孔体２０を貫通している状態となる。
【００３６】
また、開孔２２の直径は、嵩高多孔体２０の身体側表面から衣類側に向けて小さくなっており、嵩高多孔体２０の身体側表面における開孔２２の直径が２ｍｍ以上１０ｍｍ以下であり、開孔２２の衣類側端部における直径が８ｍｍ以下であることが好ましい。このように、開孔２２の直径が、上記の数値範囲で、嵩高多孔体２０の身体側表面から衣類側に向けて小さくなることにより、開孔２２の衣類側に軟便が詰まったとしても、開孔２２の身体側の目詰まりを防止することができ、軟便に含まれる水分の吸収体４０への移行を継続することができる。嵩高多孔体２０の身体側表面における開孔２２の直径が２ｍｍ以上１０ｍｍ以下であり、開孔２２の衣類側端部における直径が０ｍｍ以上８ｍｍ以下であることがより好ましく、嵩高多孔体２０の身体側表面における開孔２２の直径が３ｍｍ以上８ｍｍ以下であり、開孔２２の衣類側端部における直径が０ｍｍ以上６ｍｍ以下であることが更に好ましい。また、同様の観点から、開孔２２の衣類側端部における直径が、嵩高多孔体２０の身体側表面における開孔２２の直径の８０％以下であることが好ましく、０％以上８０％以下であることがより好ましく、１０％以上６０％以下であることが更に好ましい。ここで、開孔２２の衣類側端部における直径が０ｍｍである場合には、開孔２２が、ちょうど開孔２２の衣類側端部の位置で直径を有さずに閉塞している状態となる。なお、スリット２１を除く嵩高多孔体２０の身体側表面の総面積に対する、嵩高多孔体２０の身体側表面における複数の開孔２２の総面積率は、１％以上４０％以下であることが好ましい。
【００３７】
［バックシート］
バックシート３０は、吸収性補助パッド１の外部に体液が漏れないよう、液不透過性を有し、遮水性を有するシート材が用いられるが、ムレ防止のために透湿性を有していてもよい。このような特性を有するバックシート３０の材料としては、例えば、ポリエチレンシートやポリエチレンラミネート不織布等の厚みの薄いプラスチックシートを挙げることができる。バックシート３０の形状は、特に限定されないが、吸収性補助パッド１の形状に合わせて、略長方形又は略正方形であることが好ましい。なお、バックシート３０の坪量は、加工性及び強度の点から、１５ｇ／ｍ２以上４０ｇ／ｍ２以下であることが好ましい。
【００３８】
本発明において、バックシート３０は、後述する立体ギャザー５０を備える側の短手方向端部では、嵩高多孔体２０の衣類側表面から嵩高多孔体２０の側面において嵩高多孔体２０に沿って設けられている。より具体的には、図２から図５に示すように、バックシート３０は、立体ギャザー５０を備える側の短手方向端部では、嵩高多孔体２０の衣類側表面と側面の境界において折り曲がって設けられている。バックシート３０が立体ギャザー５０を備える側の短手方向端部においては、嵩高多孔体２０の衣類側表面から嵩高多孔体２０の側面に嵩高多孔体２０に沿って設けられていることにより、嵩高多孔体２０の多孔部から移行した水分が吸収性補助パッド１及び吸収性物品１００の外側に漏れることを効果的に防止することができる。
【００３９】
（固定手段）
吸収性補助パッド１は、バックシート３０の衣類側表面に、吸収性補助パッド１の装着時に、吸収性物品１００と固定するための固定手段３１が形成されている。固定手段３１の基材としては、特に限定されないが、メカニカルフックテープ、粘着テープ、粘着剤を用いることができる。また、固定手段３１を保護するための剥離シートを有していてもよく、この剥離シートは、吸収性補助パッド１の包装シートと一体となっていてもよい。
【００４０】
［吸収体］
吸収体４０は、図1に示されるように、平面視において、嵩高多孔体２０の長手方向両端部及び短手方向両端部の内側に位置する。吸収体４０が、図1に示されるように、平面視において、嵩高多孔体２０の長手方向両端部及び短手方向両端部の内側に位置することにより、吸収性補助パッド端部で効果的に軟便を堰き止めつつ選択的に水分を吸収体４０に導くことができる。また、このことを前提に、吸収体４０の長手方向の寸法は、４０ｍｍ以上２８０ｍｍ以下であることが好ましく、短手方向の寸法は３０ｍｍ以上２００ｍｍ以下であることが好ましい。
【００４１】
吸収体４０は、基材としての吸収性繊維と、高吸収性ポリマー（Ｓｕｐｅｒ  Ａｂｓｏｒｂｅｎｔ  Ｐｏｌｙｍｅｒ、ＳＡＰとも称される）と、を含有することが好ましい。吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティッシュ、吸収紙、親水性不織布等を挙げることができる。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。吸収体４０の吸収性繊維は、吸収性能及び肌触りを損なわないよう、１００ｇ／ｍ２以上８００ｇ／ｍ２以下の坪量とすることが好ましい。
【００４２】
ＳＡＰとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。吸収体４０のＳＡＰ量は、吸収性能及び肌触りを損なわないよう、５０ｇ／ｍ２以上５００ｇ／ｍ２以下の坪量とすることが好ましい。また、吸収速度及び吸収量の観点から、吸収体４０の重量に対する高吸収性ポリマーの重量は、１５質量％以上５０質量％以下であることが好ましい。
【００４３】
吸収体４０において、吸収性繊維及びＳＡＰの形態は、吸収性繊維中にＳＡＰ粒子を混合して形成したもの、あるいは、吸収性繊維間にＳＡＰ粒子を固着したＳＡＰシートとしたものであることが好ましい。また、ＳＡＰ粒子の漏洩防止や吸収体４０の形状の安定化の目的から、吸収体４０をキャリアシートに包むことが好ましい。キャリアシートの基材としては親水性を有するものであればよく、ティッシュ、吸収紙、エアレイド不織布等の親水性不織布を挙げることができる。キャリアシートを複数備える場合は、キャリアシートの基材は同一のものであっても異なるものであってもよい。
【００４４】
［立体ギャザー］
吸収性補助パッド１は、吸収性補助パッド１の短手方向の一方の側端部にのみ、撥水性又は液不透過性を有する二重のシートから構成される立体ギャザー５０を有する。図６に示すように、吸収性補助パッド１を吸収性物品１００の端部に、立体ギャザー５０が吸収性物品１００の外周方向となるようにして、配置することにより、吸収性補助パッド１の吸収性を維持しつつ、軟便の漏れを効果的に防止することができる。
【００４５】
立体ギャザー５０としては、疎水性繊維にて形成された撥水性又は液不透過性のシート、例えば、スパンボンド不織布、メルトブロー不織布、ポリエチレンフィルムを用いることができ、本発明においては、選択した一種又は二種のシートを二重に接合したものが使用される。また、立体ギャザー５０の坪量は、加工性及び強度の点から、１５ｇ／ｍ２以上１００ｇ／ｍ２以下であることが好ましい。このように形成された二重のシートから構成される立体ギャザー５０は、図２から図５に示すように配置される。
【００４６】
本発明において、嵩高多孔体２０の身体側表面からの立体ギャザー５０の高さは、吸収性補助パッド１の短手方向の寸法に対して、２０％以上であり、この範囲を満たすことを前提として、１５ｍｍ以上８０ｍｍ以下であることが好ましい。立体ギャザー５０の高さが上記の条件を満たすことで、吸収性補助パッド１からの軟便の漏れを効果的に防止することができる。嵩高多孔体２０の身体側表面からの立体ギャザー５０の高さは、吸収性補助パッド１の短手方向の寸法に対して、２０％以上５０％以下であることがより好ましい。
【００４７】
（伸縮弾性部材）
また、立体ギャザー５０は、自由端側及び基端側に少なくとも一本ずつの伸縮弾性部材５１を長手方向に沿って有することが好ましい。伸縮弾性部材５１を長手方向に沿って設けることで、立体ギャザー５０が起立性を有し、着用者の体型に合わせて変形可能なものとなり、フィット性が向上することで、軟便の漏れを効果的に防止することができるようになる。伸縮弾性部材５１としては、例えば、ポリウレタン糸、帯状のポリウレタンフィルム、糸状又は帯状の天然ゴム等が使用される。
【００４８】
＜吸収性補助パッドの製造方法＞
吸収性補助パッド１の製造方法としては、特に限定はなく、従来公知の方法を採用することができる。例えば、あらかじめスリット２１及び開孔２２を設けた嵩高多孔体２０を用意し、衣類側から順にバックシート３０、吸収体４０、嵩高多孔体２０の順にホットメルト接着剤等で固定しながら積層した後に、立体ギャザー５０をバックシート３０に接合し、さらに、バックシート３０の衣類側表面に固定手段３１を形成することにより、本発明の吸収性補助パッドを得ることができる。
【００４９】
以上、本発明を、実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００５０】
１        吸収性補助パッド
２０      嵩高多孔体
２１      スリット
２１０    スリットの衣類側端部
２２      開孔
３０      バックシート
３１      固定手段
４０      吸収体
５０      立体ギャザー
５１      伸縮弾性部材
１００    吸収性物品
【図１】
2019097682.tif 000003
【図２】
2019097682.tif 000004
【図３】
2019097682.tif 000005
【図４】
2019097682.tif 000006
【図５】
2019097682.tif 000007
【図６】
2019097682.tif 000008